(57)【特許請求の範囲】
【請求項１】
被固定部に固定される固定部と、この固定部に設けられ管を保持するための保持部と、前記固定部又は前記保持部に設けられ前記保持部との間に前記管の周壁を挟み込むための留めバネと、前記保持部と連結部を介して揺動自在に連結し前記管を前記留めバネと前記保持部との間に押し込むための押込み部と、前記管を押し込んだ押込み位置で前記押込み部を前記固定部に対して着脱自在に係合する係合部とを備えることを特徴とする管固定具。
【請求項２】
前記管は、吸引管本体のみから成るもの、又は吸引管本体と、この吸引管本体と平行して外接結合する空気導入管とを有するものであり、前記留めバネは、く字形状に屈曲して片持ち支持され、その屈曲部が前記押込み部に向かって突出し、前記固定部又は前記保持部と結合する基端側部が前記吸引管本体と当接し、前記留めバネの先端側部が前記空気導入管の移動を規制することを特徴とする請求項１記載の管固定具。
【請求項３】
前記押込み部が押込み位置にあるときに、前記固定部、前記押込み部、及び前記保持部が前記管及び前記留めバネを包囲するようにそれぞれが形成されていることを特徴とする請求項１又は２記載の管固定具。
【請求項４】
請求項１乃至３のいずれかに記載の管固定具と、前記管の先端部を被固定部に固定するための先端部固定具とを備えることを特徴とする管固定装置。
【請求項５】
前記先端部固定具は、前記管の先端部を収容できる樋状部と、この樋状部に設けられ前記管の先端部の水平方向の移動、及び前記管が先端側に抜け出る方向の移動を係止する位置決め部材とを備え、前記先端部固定具が、前記管固定具よりも下側となるように、前記管固定具及び前記先端部固定具を前記被固定部に取り付けることを特徴とする請求項４記載の管固定装置。
【請求項６】
請求項１乃至３のいずれかに記載の管固定具は、汚泥を含む回収対象物を貯留することができる貯留タンクを備える汚泥車、又は吸引駆動部と、この吸引駆動部によって駆動される吸引力発生機とを備える汚泥処理装置に適用されることを特徴とする管固定具。
【請求項７】
請求項４又は５記載の管固定装置は、汚泥を含む回収対象物を貯留することができる貯留タンクを備える汚泥車、又は吸引駆動部と、この吸引駆動部によって駆動される吸引力発生機とを備える汚泥処理装置に適用されることを特徴とする管固定装置。
【発明の詳細な説明】
【技術分野】
【０００１】
本発明は、例えば汚泥を含む回収対象物を貯留することができる貯留タンクを備える汚泥車等のタンク車両や、汚泥処理装置に対して、回収対象物を吸引する吸引管を固定するための管固定具、及び管固定装置に関する。
【背景技術】
【０００２】
従来の吸引管固定具の一例として図８及び図９に示すものがあり、この吸引管固定具１は、図８に示すように、汚泥車２に設けられている。この汚泥車２は、汚泥処理装置３が搭載されており、この汚泥処理装置３は、例えばマンホールや下水管内に溜まっている汚泥や土砂等を吸引ホース（図示せず）や吸引管４で吸引して、この吸引した汚泥等を貯留タンク５内に貯留することができるものである。そして、貯留タンク５内に貯留されている汚泥等は、所定の場所に搬送されて排出される。
【０００３】
そして、このようにして使用される吸引管４は、図８に示すように、その左後端部が吸引管固定具１によって、例えば貯留タンク５の側面に配置されている支柱１６、１７に固定され、この吸引管４の右先端部は、先端部保持具６によって吸引エンジンカバー７の側面に固定されている。
【０００４】
図９（ａ）は、吸引管固定具１の縦断面図であり、図９（ｂ）は、吸引管固定具１をそのフック８を正面に見た状態を示す図である。この吸引管固定具１は、略Ｕ字状に形成されたクランプ部９を有し、このクランプ部９は支柱１６に固着されている。そして、クランプ部９の右先端部にレバー１０が枢軸１１を介して揺動自在に設けられ、このレバー１０にグリップ部１２が設けられている。更に、このレバー１０には、枢軸１３を介して環状のフック８の基端部が揺動自在に設けられ、このフック８の先端部がクランプ部９の左先端部に係脱自在に形成されている。
【０００５】
次に、図８に示すように、吸引管４をこれら吸引管固定具１及び先端部保持具６を使用して汚泥車２に固定するときの手順を説明する。まず、図９（ａ）に示すグリップ部１２を、枢軸１１を中心にして反時計方向に揺動させてフック８の先端部をクランプ部９の左先端部から取り外す。この状態にして、吸引管４の先端部を先端部保持具６に装着すると共に、吸引管４の後端部を吸引管固定具１のクランプ部９内に装着する。そして、フック８の先端部をクランプ部９の左先端部に係合させて、グリップ部１２を時計方向に揺動させて図９（ａ）に示す状態にすればよい。
【発明の開示】
【発明が解決しようとする課題】
【０００６】
図９（ａ）、（ｂ）に示す従来の吸引管固定具１では、例えば吸引管４を装着した状態で、吸引管４がクランプ部９内でがたつかないようにするために、同図に示すように、フック８をクランプ部９の左端部に係合させたときに、フック８の締め付けによってクランプ部９の左右の各端部が互いに接近するようにフック８を弾性変形させて、このクランプ部９によって吸引管４を挟み込んで固定することが考えられる。
【０００７】
しかし、このように、クランプ部９が弾性変形するように形成すると、この吸引管固定具１の剛性を大きくするには或る一定の限界がある。そして、クランプ部９の剛性を大きくすると、クランプ部９の弾性変形が阻害され、吸引管４のがたつきを防止することが困難となる。
【０００８】
更に、図９（ａ）、（ｂ）に示す従来の吸引管固定具１では、異なる断面形状や大きさの複数種類の吸引管を固定するために共用して使用しようとすると、断面形状が小さい方の吸引管を固定すると、がたつきを生じてしまうことがある。断面形状が異なる吸引管としては、例えば一方の種類の吸引管が１本の短円筒管であり、他方の種類の吸引管は、直径の相違する２本の短円筒管が互いに平行して外接結合したものがある。
【０００９】
本発明は、上記のような課題を解決するためになされたものであり、異なる断面形状や大きさの例えば吸引管をがたつかないように固定することができ、しかも強度を大きくすることができると共に、吸引管が外れないように確実に固定することができる管固定具、及びこの管固定具を備える管固定装置を提供することを目的としている。
【課題を解決するための手段】
【００１０】
本発明に係る管固定具は、被固定部に固定される固定部と、この固定部に設けられ管を保持するための保持部と、前記固定部又は前記保持部に設けられ前記保持部との間に前記管の周壁を挟み込むための留めバネと、前記保持部と連結部を介して揺動自在に連結し前記管を前記留めバネと前記保持部との間に押し込むための押込み部と、前記管を押し込んだ押込み位置で前記押込み部を前記固定部に対して着脱自在に係合する係合部とを備えることを特徴とするものである。
【００１１】
この発明に係る管固定具を使用して管を固定するときは、まず、係合部による係合を解除して押込み部を開いた状態にする。そして、管を留めバネと保持部との間に載置して、押込み部を閉じることによって、管をその留めバネと保持部との間に押し込む。そして、係合部によって押込み部を固定部に係合させる。このように固定した状態では、管は、留めバネのバネ力によって、管の周壁がこれら留めバネと保持部と押込み部とによって強力に挟持された状態となり、例えば車両（被固定部）が振動しても、管ががたつかないように固定することができる。そして、管を留めバネのバネ力によって押し付けて固定しているので、異なる断面形状や大きさの管でも、がたつかないようにして固定することができる。また、管は、留めバネによってがたつきがないようにしているので、留めバネの弾性係数を変更せずに、固定部、保持部、及び押込み部の剛性を大きくすることができ、これによって、管固定具の強度を十分に大きくすることができる。更に、係合部によって押込み部を固定部に係合させて管を固定しているので、固定された管が外れないようにすることができる。なお、管を取り外すときは、係合部を解除して押込み部を開いた状態にすればよい。
【００１２】
そして、この発明に係る管固定具において、前記管は、吸引管本体のみから成るもの、又は吸引管本体と、この吸引管本体と平行して外接結合する空気導入管とを有するものであり、前記留めバネは、く字形状に屈曲して片持ち支持され、その屈曲部が前記押込み部に向かって突出し、前記固定部又は前記保持部と結合する基端側部が前記吸引管本体と当接し、前記留めバネの先端側部が前記空気導入管の移動を規制するようにするとよい。このようにすると、留めバネの固定部又は保持部と結合する基端側部が吸引管本体と当接し、留めバネの先端側部が空気導入管の移動を規制することができる。よって、吸引管本体と空気導入管とから成る管を、がたつかないように固定することができる。また、空気導入管を有しない吸引管本体のみから成る管を取り付けたときは、留めバネの基端側部、保持部、及び押込み部が管と当接して、管をがたつかないように固定することができる。
【００１３】
また、この発明に係る管固定具において、前記押込み部が押込み位置にあるときに、前記固定部、前記押込み部、及び前記保持部が前記管及び前記留めバネを包囲するようにそれぞれを形成するとよい。このようにすると、押込み部が押込み位置にある状態では、固定部、押込み部、及び保持部が留めバネを包囲しているので、留めバネが外力を受けて変形することを防止できる。
【００１４】
更に、この発明に係る管固定装置は、この発明の管固定具と、前記管の先端部を被固定部に固定するための先端部固定具とを備えることを特徴とするものである。
【００１５】
この発明に係る管固定装置によると、例えば管固定具によって管の後端部を固定することができ、先端部固定具によって管の先端部を固定することができる。これによって、管をしっかりと固定することができる。
【００１６】
そして、この発明に係る管固定装置において、前記先端部固定具は、前記管の先端部を収容できる樋状部と、この樋状部に設けられ前記管の先端部の水平方向の移動、及び前記管が先端側に抜け出る方向の移動を係止する位置決め部材とを備え、前記先端部固定具が、前記管固定具よりも下側となるように、前記管固定具及び前記先端部固定具を前記被固定部に取り付けるとよい。このようにすると、管の先端部を樋状部に装着したときに、位置決め部材によって、管が先端側に抜け出る方向の移動を係止できると共に、管の先端部の水平方向の位置決めをすることができる。これによって、管ががたつかないように固定することができる。
【００１７】
また、この発明に係る管固定具は、汚泥を含む回収対象物を貯留することができる貯留タンクを備える汚泥車、又は吸引駆動部と、この吸引駆動部によって駆動される吸引力発生機とを備える汚泥処理装置に適用するとよい。このように、管固定具を汚泥車や汚泥処理装置に適用すると、管を確実に汚泥車や汚泥処理装置に固定することができるし、管を取り付けた状態で、汚泥車が走行したり、汚泥処理装置が作動したときに、管のがたつきも抑制でき、騒音を小さくすることができる。
【００１８】
更に、この発明に係る管固定装置は、汚泥を含む回収対象物を貯留することができる貯留タンクを備える汚泥車、又は吸引駆動部と、この吸引駆動部によって駆動される吸引力発生機とを備える汚泥処理装置に適用するとよい。このように、管固定装置を汚泥車や汚泥処理装置に適用すると、上記と同様に、管を確実に汚泥車や汚泥処理装置に固定することができるし、管を取り付けた状態で、汚泥車が走行したり、汚泥処理装置が作動したときに、管のがたつきも抑制でき、騒音を小さくすることができる。
【発明の効果】
【００１９】
この発明に係る管固定具によると、管を留めバネで押し付けて固定しているので、がたつきを抑制でき、例えば車両（被固定部）の振動等によって騒音が発生し難いし、管に傷も発生し難い。そして、固定部、保持部、及び押込み部の剛性を大きくして、この管固定具の強度を大きくすることができるので、管固定具の寿命を延ばすことができる。また、係合部によって、押込み部を固定部に係合させているので、管がこの管固定具から外れ難くすることができる。
【００２０】
この発明に係る管固定装置によると、本発明の管固定具の奏する効果を有すると共に、管の先端部を先端部固定具によって固定しているので、管のがたつきを十分に抑制して被固定部に強固に取り付けることができる。
【発明を実施するための最良の形態】
【００２１】
以下、図１〜図７を参照して本発明に係る管固定具１４、及びこの管固定具１４と先端部固定具１８とを備える管固定装置の一実施形態を説明する。この管固定具１４と先端部固定具１８とを備える管固定装置は、図７に示すように、汚泥車１５に対して、吸引管４を固定することができるものであり、汚泥車１５に設けられている。この汚泥車１５は、汚泥処理装置（吸引装置）３が搭載されており、この汚泥処理装置３は、例えばマンホールや下水管内に溜まっている汚泥や土砂等を含む回収対象物を、吸引ホース（図示せず）や吸引管４で吸引して、この吸引した汚泥等を貯留タンク５内に貯留することができるものである。そして、貯留タンク５内に貯留されている汚泥等は、所定の場所に搬送されて、テールゲート５ａを開放し、更に貯留タンク５を傾動して排出される。
【００２２】
そして、このようにして使用される複数の各吸引管４、・・・は、例えば図７に示すように、それぞれの左後端部４ａが複数の各管固定具１４によって、車体１５ａに設けられている支柱１６、１７に固定され、各吸引管４のそれぞれの右先端部４ｂは、複数の各先端部固定具１８によって吸引エンジンカバー７の側面や支柱（図示せず）に固定されている。
【００２３】
図１は、管固定具１４の断面図、図２は管固定具１４の右側面図であり、図３は管固定具１４の平面図である。
【００２４】
吸引管４は、例えば図１に示すように、吸引管本体４ｃと、この吸引管本体４ｃと平行して外接結合する空気導入管４ｄとを有している。この吸引管本体４ｃは、汚泥等を吸引するものであり、空気導入管４ｄは、外気（空気）を吸引管本体４ｃに流入させることができるものである。つまり、空気導入管４ｄは、一端が吸引管本体４ｃの周壁に結合しており、両方の管の内孔が互いに連通している。そして、空気導入管４ｄの他端には、コック３８が設けられており、このコック３８を開閉することによって、空気導入管４ｄの他端を開閉することができる。
【００２５】
この吸引管４によると、例えば、吸引管４を使用してマンホール内の汚泥等を吸引している際に、吸引管本体４ｃによる吸引力が大き過ぎる場合に、作業者は、この空気導入管４ｄに設けられているコック３８を手で開ける操作をして、空気を空気導入管４ｄに通して吸引管本体４ｃに流入させることができ、これによって、吸引管本体４ｃによる吸引力を所望の大きさに調節することができる。
【００２６】
管固定具１４は、図１に示すように、固定部２０を備えている。この固定部２０は、正面形状が逆コ字形状であって所定の長さに形成されたものであり、縦側部２０ａが支柱１６又は１７にボルト（図示せず）や溶接で固定されている。この固定部２０の縦側部２０ａの下部内面には、保持部２１が固着されている。
【００２７】
保持部２１は、図１に示すように、略矩形の板状体であり、略水平に配置されて基端部が固定部２０の縦側部２０ａの内面に固着している。そして、保持部２１は、その先端部２１ａが斜め上方に向かうように屈曲形成してある。保持部２１の先端部２１ａを、斜め上方に向かうように屈曲させているのは、保持部２１上に吸引管４が載置されたときに、吸引管４がその自重によって保持部２１の基端部側に向かうようにして、吸引管４を保持部２１上に確実に載置できるようにするためである。また、固定部２０の縦側部２０ａの下部内面には、留めバネ２２がボルト２４、２４により締結されている。なお、保持部２１の下面と、固定部２０の下側部２０ｂとの間には、補強部材２３が設けられている。この補強部材２３は、保持部２１を補強するためのものである。
【００２８】
留めバネ２２は、図１に示すように、板状の金属製バネ材をく字形状に屈曲形成したものであり、基端部（下部）が上記ボルト２４、２４によって固定部２０に締結され、片持ち支持されている。そして、留めバネ２２は、その屈曲部２２ａが後述する押込み部２５に向かって突出するように配置されている。この留めバネ２２は、屈曲部２２ａの下部に設けられている基端側部２２ｂと保持部２１との間に、吸引管本体４ｃを挟み込むように形成されている。そして、留めバネ２２の先端側部２２ｃは、空気導入管４ｄに対向するように形成され、空気導入管４ｄが吸引管本体４ｃを中心して円弧方向に移動することを規制するように形成されている。また、保持部２１の先端部２１ａに押込み部２５が連結部（蝶番）２６を介して揺動自在に連結している。
【００２９】
なお、留めバネ２２に設けられているボルト２４、２４の取付穴を長穴とすることにより、留めバネ２２を上下に調整することができ、吸引管４をより確実に固定することができる。
【００３０】
押込み部２５は、図１に示すように、正面形状が略逆Ｌ字形状に形成された屈曲部材であり、縦側部２５ａの下端が連結部（第１枢軸２６ａ）２６を介して保持部２１の先端部２１ａと揺動自在に連結している。そして、この押込み部２５は、図１に示すように、閉じた状態で、その上側部２５ｂが水平な状態となり、その上側部２５ｂの先端が固定部２０の上側部２０ｃの先端と当接する状態となる。そして、このように押込み部２５が閉じた状態で、吸引管本体４ｃは、留めバネ２２の基端側部２２ｂと、保持部２１と、押込み部２５の縦側部２５ａと当接した状態となり、これによって、吸引管本体４ｃをその半径方向に移動しないように固定することができる。また、空気導入管４ｄは、留めバネ２２の先端側部２２ｃと、押込み部２５の縦側部２５ａと、押込み部２５の上側部２５ｂの内側に収容された状態となり、上述したように、空気導入管４ｄが移動することを所定の範囲内に規制することができる。このように、互いに結合する吸引管本体４ｃ及び空気導入管４ｄを、管固定具１４に格納することができ、この格納した状態で、吸引管本体４ｃ及び空気導入管４ｄを確実に固定することができる。更に、この押込み部２５には、係合具２７が設けられている。
【００３１】
係合具２７は、図１に示すように、板状のベース２７ａを備えている。このベース２７ａは、押込み部２５の縦側部２５ａの外面にボルト２８で締結されており、その上端部に第２枢軸２７ｂを介してレバー２７ｃが揺動自在に連結している。そして、このレバー２７ｃには、第３枢軸２７ｄを介して引っ掛け部２７ｅが揺動自在に連結している。この引っ掛け部２７ｅは、伸縮自在の構成となっており、短縮方向に引っ張りバネ２９によって付勢されている。また、引っ掛け部２７ｅの先端には、係合ピン２７ｆが設けられており、この係合ピン２７ｆは、フック３０に係合可能に形成されている。このフック３０は、固定部２０の上側部２０ｃの上面にボルト３１で締結されている。
【００３２】
この係合具２７によると、図１に示すように、係合ピン２７ｆをフック３０に引っ掛けた状態で、レバー２７ｃをベース２７ａに沿わせる位置に揺動させることによって、押込み部２５を閉じた状態にすることができる。そして、押込み部２５を開けるときは、同図の二点鎖線で示すように、レバー２７ｃを、第２枢軸２７ｂを中心にして反時計方向に揺動させて、係合ピン２７ｆをフック３０から外し、この状態で押込み部２５を、連結部２６を中心にして時計方向に揺動させる。このようにして、押込み部２５を開くことができ（図４参照）、押込み部２５を開いた状態で、この管固定具１４から吸引管４を取り外すことができるし、吸引管４をこの管固定具１４に装着して固定することができる。このように、係合具２７は、工具を使用せずに押込み部２５を開閉することができるので、吸引管４の管固定具１４に対する着脱を簡単で確実に行うことができる。
【００３３】
次に、図５（ａ）、（ｂ）を参照して、各吸引管４のそれぞれの右先端部４ｂを固定するための複数の各先端部固定具１８、・・・を説明する。この先端部固定具１８は、ブラケット３２を介して吸引エンジンカバー７の側面や支柱（図示せず）に固定されており（図７参照）、それぞれが樋状部３３を備えている。そして、これら各樋状部３３には、図５（ａ）に示すように、吸引管４がその右先端部４ｂ側から抜け出ないように係止するための留め部材３４が設けられている。更に、この樋状部３３の底壁３３ａ上には、側壁３３ｂ、３３ｃと所定の角度を成すように板状の位置決め部材３５が設けられている。
【００３４】
また、樋状部３３の先端上部には、上壁３３ｄが設けられており、この上壁３３ｄは、側壁３３ｂ、３３ｃの上縁に架け渡されている。このように、上壁３３ｄを設けたのは、先端部固定具１８に格納された吸引管４の右先端部４ｂが、上方に跳ね上がって外れないようにすると共に、汚泥等がこの吸引管４の先端部４ｂに掛からないようにするためである。ただし、この上壁３３ｄは、省略してもよい。
【００３５】
この先端部固定具１８に対して吸引管４の右先端部４ｂを装着するときは、図５（ａ）、（ｂ）に示すように、吸引管４の右先端部４ｂをこの先端部固定具１８の樋状部３３に装着して、吸引管４の先端縁を位置決め部材３５に当接させればよい。このように吸引管４の右先端部４ｂを装着した状態で、その右先端部４ｂは、樋状部３３の底壁３３ａに保持され、管軸と直交する水平方向の移動が奥側の側壁３３ｂと位置決め部材３５とによって係止される。更に、吸引管４は、右先端側に抜ける方向の移動が位置決め部材３５で係止される。このようにして、吸引管４の右先端部４ｂをこの先端部固定具１８でしっかりと固定支持することができるし、吸引管４の左後端部４ａを管固定具１４によってしっかりと固定支持することができる。
【００３６】
なお、管固定具１４及び先端部固定具１８よって固定されている吸引管４が、左後端部４ａ側から抜け出ないようにするために、図７に示すように、吸引管４の右先端部４ｂが左後端部４ａよりも下側となるように、管固定具１４及び先端部固定具１８が配置されている。
【００３７】
次に、図１〜図７に示すように構成された管固定具１４及び先端部固定具１８を使用して、吸引管４を汚泥車１５に固定する手順を説明する。例えばまず、図４に示すように、係合具２７による係合を解除して押込み部２５を開いた状態にする。そして、吸引管４の右先端部４ｂを先端部固定具１８に装着して、吸引管４を構成する吸引管本体４ｃを留めバネ２２の基端側部２２ｂと保持部２１との間に装着すると共に、空気導入管４ｄを留めバネ２２の先端側部２２ｃに当接させる。次に、図１に示すように、押込み部２５を閉じることによって、吸引管４をその留めバネ２２と保持部２１との間に押し込む。そして、係合具２７によって押込み部２５を固定部２０に係合させる。
【００３８】
この係合した状態では、吸引管本体４ｃは、留めバネ２２のバネ力によって保持部２１と押込み部２５とに押し付けられている。つまり、吸引管本体４ｃは、留めバネ２２のバネ力によって、吸引管本体４ｃの周壁がこれら留めバネ２２、保持部２１、及び押込み部２５の三点で強力に挟持された状態となり、例えば車両１５が振動しても、吸引管４ががたつかないように固定することができる。
【００３９】
そして、吸引管４を留めバネ２２のバネ力によって押し付けて固定しているので、異なる断面形状や大きさの吸引管でも、がたつかないようにして固定することができる。また、吸引管４は、留めバネ２２によってがたつきがないようにしているので、固定部２０、保持部２１、及び押込み部２５の剛性を大きくすることができ、これによって、この管固定具１４の強度を十分に大きくすることができる。従って、管固定具１４の寿命を延ばすことができる。更に、係合具２７によって押込み部２５を固定部２０に係合させ吸引管４を固定しているので、固定された吸引管４がこの管固定具１４及び先端部固定具１８から外れないようにすることができる。なお、吸引管４を取り外すときは、図４に示すように、係合具２７を解除して押込み部２５を開いた状態にすればよい。
【００４０】
また、図１に示すように、空気導入管４ｄは、留めバネ２２の先端側部２２ｃと、押込み部２５の縦側部２５ａと、押込み部２５の上側部２５ｂの内側に収容されているので、空気導入管４ｄが吸引管本体４ｃを中心にして揺動することを、留めバネ２２の先端側部２２ｃと、押込み部２５の縦側部２５ａとによって、所定の範囲内に規制することができ、空気導入管４ｄのがたつきを抑えることができる。
【００４１】
また、図１に示すように、押込み部２５が押込み位置（閉じた状態）にあるときに、固定部２０、押込み部２５、及び保持部２１が吸引管４及び留めバネ２２を包囲するようにそれぞれが形成されているので、留めバネ２２が外力を受けて変形することを防止できる。
【００４２】
更に、図１等に示す管固定具１４を備える汚泥車１５によると、上記のように吸引管４を確実に車両１５に固定することができるし、吸引管４を車両１５に取り付けた状態で走行したときに、吸引管４のがたつきを抑制でき、騒音を小さくすることができる。
【００４３】
ただし、上記実施形態では、図１に示すように、吸引管本体４ｃと空気導入管４ｄとから成る吸引管４を管固定具１４によって固定する例を挙げて説明したが、この吸引管４に代えて、図６に示すように、吸引管本体のみから成る吸引管３６を管固定具１４によって固定することができる。この管固定具１４によると、上記実施形態と同様に、留めバネ２２の基端側部２２ｂ、保持部２１、及び押込み部２５が吸引管３６と当接して、吸引管３６のがたつきを抑制でき、確実に固定することができる。
【００４４】
そして、上記実施形態では、図１に示すように、保持部２１を、補強部材２３を介して固定部２０の下側部２０ｂで補強したが、この補強部材２３及び下側部２０ｂを省略してもよい。そして、このようにしたときは、固定部２０と保持部２１とを一体に形成してもよい。
【００４５】
更に、上記実施形態では、図１に示すように、留めバネ２２を固定部２０に取り付けた構成としたが、これに代えて、留めバネ２２を保持部２１に取り付けた構成としてもよい。
【００４６】
また、上記実施形態では、図７に示すように、車体１５ａに搭載された汚泥処理装置３に対して本発明を適用したが、これに代えて、地面や建物内に設置される汚泥処理装置３に対して本発明を適用することができる。地面や建物内に設置される汚泥処理装置３は、例えばその設置場所で継続して使用できるものである。そして、この汚泥処理装置は、吸引エンジンと、この吸引エンジンによって駆動される吸引力発生機（例えばルーツブロワや、真空ポンプ）とを備えるものでもよいし、更に、吸引される汚泥等を貯留できる貯留タンク５を備えるものであってもよい。
【００４７】
更に、上記実施形態では、図７に示すように、汚泥車１５に対して本発明を適用したが、汚泥車１５以外の例えば石油類を輸送するためのタンクローリ車等のタンク車両にも本発明を適用することができる。
【産業上の利用可能性】
【００４８】
以上のように、本発明に係る管固定具、及び管固定装置は、例えば異なる断面形状や大きさの吸引管をがたつかないように固定することができ、しかも強度を大きくすることができると共に、吸引管が外れないように確実に固定することができる優れた効果を有し、このような管固定具、及び管固定装置等に適用するのに適している。
【図面の簡単な説明】
【００４９】
【図１】この発明の一実施形態に係る管固定具を示す断面図である。
【図２】同実施形態に係る管固定具の右側面図である。
【図３】同実施形態に係る管固定具の平面図である。
【図４】同実施形態に係る管固定具の押込み部を開いた状態を示す断面図である。
【図５】同実施形態に係る汚泥車に設けられている先端部固定具を示す図であり、（ａ）は断面図、（ｂ）は正面図である。
【図６】同実施形態に係る管固定具によって他の形状の吸引管を固定した状態を示す断面図である。
【図７】同実施形態に係る管固定具及び先端部固定具が設けられている汚泥車を示す側面図である。
【図８】従来の吸引管固定具が設けられている汚泥車を示す側面図である。
【図９】従来の吸引管固定具を示す図であり、（ａ）は吸引管固定具の縦断面図、（ｂ）は吸引管固定具をそのフックを正面に見た状態を示す図である。
【符号の説明】
【００５０】
３  汚泥処理装置（吸引装置）
４、３６  吸引管
４ａ  左後端部
４ｂ  右先端部
４ｃ  吸引管本体
４ｄ  空気導入管
５  貯留タンク
５ａ  テールゲート
７  吸引エンジンカバー
１４  管固定具
１５  汚泥車
１５ａ  車体
１６、１７  支柱
１８  先端部固定具
２０  固定部
２０ａ  縦側部
２０ｂ  下側部
２０ｃ  上側部
２１  保持部
２１ａ  先端部
２２  留めバネ
２２ａ  屈曲部
２２ｂ  基端側部
２２ｃ  先端側部
２３  補強部材
２４、２８、３１  ボルト
２５  押込み部
２５ａ  縦側部
２５ｂ  上側部
２６  連結部
２７  係合具
２７ａ  ベース
２７ｂ  第２枢軸
２７ｃ  レバー
２７ｄ  第３枢軸
２７ｅ  引っ掛け部
２７ｆ  係合ピン
２９  引っ張りバネ
３０  フック
３２  ブラケット
３３  樋状部
３３ａ  底壁
３３ｂ、３３ｃ  側壁
３３ｄ  上壁
３４  留め部材
３５  位置決め部材
３８  コック
【図１】
0004601568.tif 000002
【図２】
0004601568.tif 000003
【図３】
0004601568.tif 000004
【図４】
0004601568.tif 000005
【図５】
0004601568.tif 000006
【図６】
0004601568.tif 000007
【図７】
0004601568.tif 000008
【図８】
0004601568.tif 000009
【図９】
0004601568.tif 000010